【事件の表示】
　特許第３３８３２３９号「新聞紙製造装置」の請求項１ないし５に係る特許に対する特許異議の申立てについて、次のとおり決定する。
【結　論】
　訂正を認める。
　特許第３３８３２３９号の請求項１ないし３に係る特許を維持する。
【理　由】
＜１＞手続の経緯と本件発明　　
　本件特許第3383239号についての出願は、平成11年5月21日に特許出願され、平成14年12月20日に設定の登録がなされ、その後、その請求項1〜5に係る発明の特許に対して、異議申立人　株式会社ゴス　グラフィック　システムズ　ジャパンより特許異議の申立てがなされたものであり、当審において請求項1，2に係る発明に対して、本件異議の証拠とは別の刊行物を引用して取消理由が通知され、その指定期間の平成16年3月15日に特許権者から特許異議意見書、訂正請求書が提出されたものである。　
　
＜2＞訂正についての判断　
　本件訂正は、まず、取消理由が通知された訂正前の請求項1及び2を削除して請求項3乃至5を繰り上げて訂正後の請求項1乃至3にしたものであるから、特許請求の範囲の減縮を目的とするものである。
　そして、上記請求項1、2の削除に伴い、発明の名称「新聞紙及び新聞紙製造装置」を、「新聞紙製造装置」と訂正すると共に、詳細な説明の段落【0001】【0006】【0008】【0030】を訂正しているが、当該訂正は、上記請求項1、2の削除に伴う明瞭でない記載の釈明に該当し、いづれも、新規事項の追加に該当せず、実質上、特許請求の範囲を拡張または変更するものではない。　
　以上のとおりであるから、上記訂正は、特許法第120条の4第2項及び第3項において準用する特許法第126条第2，3項の規定に該当するので、当該訂正を認める。　
＜3＞本件発明　
　上記のとおり、訂正は認められるから、本件特許の請求項1乃至3に係る発明は、訂正後の請求項1乃至3に記載された次のとおりのものである。　
「【請求項１】輪転印刷機の印刷部で印刷された複数のウエブを重ねた後、折り部で紙面の中央を縦に二つ折りにし、次いで１ページ長さに切断した後、さらに長手方向の中央を二つ折りして新聞紙を製造する新聞紙製造装置において、前記輪転印刷機の印刷部と折り部との間のウエブパス部に、走行するウエブの内側にウエブを折り畳む一対のインサイドターンバーを配置し、各インサイドターンバーの一端はそれぞれウエブの両縁に位置させるとともに、各インサイドターンバーの他端はそれぞれウエブの折り畳み紙面の折り目に位置するように傾斜させ、各インサイドターンバーの前記他端の間には、ウエブを内側に折り畳むための、両端にノーズを有するセンターローラーがウエブの走行方向に直角に配置され、センターローラーの両端のノーズ近傍から一対のアウトサイドターンバーの先端がウエブの幅の二つ折り線に向かって傾斜して折り畳むウエブの外側に配置されている、新聞紙の見開き面の少なくとも１ページに内側に折り畳む折り畳み紙面を連続して形成する紙面折り畳み装置を組み込んだことを特徴とする新聞紙製造装置。
【請求項２】　前記紙面折り畳み装置が新聞紙の見開き面の各ページのそれぞれに内側に折り畳まれる折り畳み紙面を連続して形成する紙面折り畳み装置であることを特徴とする請求項１記載の新聞紙製造装置。
【請求項３】　紙面折り畳み装置が１ページ幅に相当する分だけ位相変更されていることを特徴とする請求項１又は２に記載の新聞紙製造装置。」
　
＜4＞異議申立理由の概要　
　 異議申立人は、証拠として次の甲第1〜4号証を提出し、訂正後の請求項1乃至3に係る発明は、甲第1〜4号証に記載された発明に基づいて、その出願前にその発明の属する技術の分野における通常の知識を有する者が容易に発明をすることができたものであるから、特許法第２９条第２項の規定により特許を受けることができないから、それらの特許は取り消されるべきである旨、主張する。　
＜甲第1号証＞　
「印刷界の主役ーオフ輪印刷」松本和雄監修、日本印刷新聞社発行（１９９０年１０月２０日発行）、第８０頁図２−９２　
＜甲第2号証＞　
「ＩＮＮＯＴＥＣＨ　ＩＮＮＯＶＡＴＩＯＮＳ ＮＥＷＳ ＡＢＯＵＴ ＩＮＮＯＴＥＣＨ ＡＮＤ ＦＩＮＩＳＨＩＮＧ ＴＥＣＨＮＯＬＯＧＹ」ＩＮＮＯＴＥＣＨ Ｇｒａｐｈｉｃ Ｅｑｕｉｐｍｅｎｔ Ｃｏｒｐｏｒａｔｉｏｎ 発行（１９９５年秋（ＦＡＬＬ）発行）
＜甲第3号証＞　
「ＩＮＮＯＴＥＣＨ　ＩＮＮＯＶＡＴＩＯＮＳ ＮＥＷＳ ＡＢＯＵＴ ＩＮＮＯＴＥＣＨ ＡＮＤ ＦＩＮＩＳＨＩＮＧ ＴＥＣＨＮＯＬＯＧＹ」ＩＮＮＯＴＥＣＨ Ｇｒａｐｈｉｃ Ｅｑｕｉｐｍｅｎｔ Ｃｏｒｐｏｒａｔｉｏｎ 発行（１９９6年秋（ＦＡＬＬ）発行）
＜甲第4号証＞　
「ＩＮＮＯＴＥＣＨ　ＩＮＮＯＶＡＴＩＯＮＳ ＮＥＷＳ ＡＢＯＵＴ ＩＮＮＯＴＥＣＨ ＡＮＤ ＦＩＮＩＳＨＩＮＧ ＴＥＣＨＮＯＬＯＧＹ」ＩＮＮＯＴＥＣＨ Ｇｒａｐｈｉｃ Ｅｑｕｉｐｍｅｎｔ Ｃｏｒｐｏｒａｔｉｏｎ 発行（１９９8年秋（ＦＡＬＬ）発行）
　
＜5＞当審の判断
　当審において通知された取消理由は、訂正前の請求項1及び2記載の発明は下記の引用文献から容易に発明をすることができたというものである。　
  　　引用例1：特開平10-29387号公報　
  　　引用例2：登録実用新案第3005127号公報　
　　　引用例3：特開昭48-45324号公報　
  　　引用例4：実願平2-39113号（実開平3-129473）のマイクロフィルム　
 　　　引用例5：米国特許第3520560号明細書　
　
　上記訂正により訂正前の請求項1及び2が削除されたので、上記取消理由は、解消された。　
　そうすると、訂正後の請求項1乃至3に係る発明は、上記引用例1乃至5記載の発明に基づいて当業者が容易に発明をすることができたものであるとはいうことができない。
　また、異議申立人が証拠として提出した甲第1乃至4号証を検討しても、新聞紙製造装置において、左右のページが二つ折りされ、、さらに全体が二つ折りされて持ち運ぶ新聞紙の見開き面に、さらに折り畳み紙面を設けたものは、知られておらず、周知でもないから、訂正後の請求項1乃至3に係る発明は、その他の特許異議の申立ての理由によっても、取り消すことはできない。
　よって、訂正後の請求項1乃至3に係る発明は、特許法第29条第2項の規定により特許を受けることができないとすることはできない。　
　
＜3＞むすび　
　以上のとおりであるから、特許異議申立の理由及び証拠によっては、本件訂正後の請求項1乃至3に係る発明の特許を取り消すことはできない。　
　また、他に本件訂正後の請求項1乃至3に係る発明の特許を取り消すべき理由を発見しない。　
　よって、結論のとおり決定する。
【異議決定日】
平成１６年４月１６日（２００４．４．１６）
【訂正の要旨】
審決（決定）の【理由】欄参照。
（５４）【発明の名称】
新聞
紙製
（５７）【特許請求の範囲】
　【請求項１】　
輪転印刷機の印刷部で印刷された複数のウエブを重ねた後、折り部で紙面の中央を縦に二つ折りにし、次いで１ページ長さに切断した後、さらに長手方向の中央を二つ折りして新聞紙を製造する新聞紙製造装置において、前記輪転印刷機の印刷部と折り部との間のウエブパス部に、走行するウエブの内側にウエブを折り畳む一対のインサイドターンバーを配置し、各インサイドターンバーの一端はそれぞれウエブの両縁に位置させるとともに、各インサイドターンバーの他端はそれぞれウエブの折り畳み紙面の折り目に位置するように傾斜させ、各インサイドターンバーの前記他端の間には、ウエブを内側に折り畳むための、両端にノーズを有するセンターローラーがウエブの走行方向に直角に配置され、センターローラーの両端のノーズ近傍から一対のアウトサイドターンバーの先端がウエブの幅の二つ折り線に向かって傾斜して折り畳むウエブの外側に配置されている、新聞紙の見開き面の少なくとも１ページに内側に折り畳む折り畳み紙面を連続して形成する紙面折り畳み装置を組み込んだことを特徴とする新聞紙製造装置
　【請求項２】　
前記紙面折り畳み装置が新聞紙の見開き面の各ページのそれぞれに内側に折り畳まれる折り畳み紙面を連続して形成する紙面折り畳み装置であることを特徴とする請求項１
　【請求項３】　
紙面折り畳み装置が１ページ幅に相当する分だけ位相変更されていることを特徴とする請求項１又は２
【発明の詳細な説明】
　【０００１】
　【発明の属する技術分野】
　本発明は、新聞紙の見開き面のページに折り畳み紙面を有する新聞紙
の
　【０００２】
　【従来の技術】
　従来の新聞・雑誌等の輪転印刷機においては、紙面の折り畳みは、折り機において第１折り、切断、第２折りを行う。すなわち、走行する複数のウエブを重ねた後、フォーマーと呼ばれる三角板で紙面の中央を縦に二つ折りにし、次いで１ページ長さに切断した後、さらに長手方向の中央を二つ折りにして、排紙装置により排出している。この折り畳み方法では、見開き面は１ヶ所しかできない。
　【０００３】
　そこで、見開き面を複数箇所設けるため、例えば、特開平１０−２９３８７号公報には、１セクションの新聞紙において、見開き面を任意の位置に複数箇所設けた新聞紙及びその製作装置が開示されている。これにより、２ページ広告などの需要にも対応することが可能となるというものである。しかしながら、この技術では、２ページ以上の紙面を形成することはできない。また、前記公報に開示される方法においては、フォーマー部を上下２ヶ所に設けることにより見開き面を有する紙面を作成するものであるが、フォーマー部を増設することは、その設置については、かなりのスペースを必要とするとともに、コスト的にも問題がある。
　【０００４】
　印刷物の任意のページに１ページあるいは複数ページに折り畳まれた折り込み紙面を形成すると、２ページを超えることによりワイドな紙面を提供することができるので、印刷物の内容に、より特色を持たせ、またダイナミックな編集が可能となる。例えば、図９の折り畳み紙面の斜視図に示されるように、（ａ）の二つ折りされた両ページに内側に折り込み紙面を形成したダブルゲートタイプのもの、（ｂ）の１ページに折り込み紙面を形成したシングルゲートタイプのもの、（ｃ）の紙面をジグザグに折り畳んだ紙面を形成したＺフォールドタイプのもの、が上げることができる。
　【０００５】
　【発明が解決しようとする課題】
　しかしながら、輪転印刷機に接続されている従来の折り畳み装置では、ウエブを二つ折りにして畳むのみで、折り畳まれる印刷物の任意のページに折り畳まれた紙面を形成することはできなかった。
　【０００６】
　そこで、本発明は、２ページを超える、よりワイドな紙面を形成
する新聞紙製造装置
　【０００７】
　【０００８】
　
【課題を解決するための手段】
　本発明の新聞紙製造装置は、輪転印刷機の印刷部で印刷された複数のウエブを重ねた後、折り部で紙面の中央を縦に二つ折りにし、次いで１ページ長さに切断した後、さらに長手方向の中央を二つ折りして新聞紙を製造する新聞紙製造装置において、前記輪転印刷機の印刷部と折り部との間のウエブパス部に、走行するウエブの内側にウエブを折り畳む一対のインサイドターンバーを配置し、各インサイドターンバーの一端はそれぞれウエブの両縁に位置させるとともに、各インサイドターンバーの他端はそれぞれウエブの折り畳み紙面の折り目に位置するように傾斜させ、各インサイドターンバーの前記他端の間には、ウエブを内側に折り畳むための、両端にノーズを有するセンターローラーがウエブの走行方向に直角に配置され、センターローラーの両端のノーズ近傍から一対のアウトサイドターンバーの先端がウエブの幅の二つ折り線に向かって傾斜して折り畳むウエブの外側に配置されている、新聞紙の見開き面の少なくとも１ページに内側に折り畳む折り畳み紙面を連続して形成する紙面折り畳み装置を組み込んだことを特徴とする。
　【０００９】
　【発明の実施の形態】
　図１は、本発明の紙面折り畳み装置を組み込んだ新聞紙製造装置を示す全体図で、複数の印刷部１で印刷されたウエブＷは、それぞれガイドローラーからなるウエブパス部２を通って重ねた後、折り部３へ送られる。折り部３では、折り機のフォーマーでウエブの中央を縦に二つ折りにし、次いで１ページ長さに切断した後、さらに長手方向の中央を二つ折りにして、排紙装置により排出する。このラインは、通常の公知の新聞印刷ラインである。
　【００１０】
　この新聞印刷ラインのウエブパス部２に紙面折り畳み装置４を組み込む場合、折り込み紙面を形成しようとするウエブＷをターンバー５で位相変更して、紙面折り畳み装置４へ導入し、折り込み紙面を形成した後、他のウエブと重ね、折り部３へ送られ、第１折り、切断、第２折りを行って、折り込み紙面を持った新聞紙を製造する。
　【００１１】
　このように本発明における折り込み紙面を形成する場合には、１ページ分の位相変更が行われるため、本発明の紙面折り畳み装置を有するフレーム部においては、標準のフレームに対して、１ページ幅に相当する分だけ操作側に広くなる（図５参照）。
　【００１２】
　図２は本発明においてページを折り込む過程を示す説明図、図３は本発明において紙面の両ページに折り込みを形成する紙面折り畳み装置の一実施例の斜視図である。なお、図２及び図３は、本発明の理解を容易にするために、本装置を上下逆向きに、また、図２においては、通常のウエブ幅の半分のウエブに折り込みを形成する一方の側のみを示している。このため、本図における本装置を含む折り部は上下逆向きに示しているため、正フォーマー（操作側よりみて左下がり）の形態をとっているが、通常形態は逆フォーマー（操作側よりみて右下がり）となる。もちろん、上記のようにフォーマーの正逆の向きと本装置との上下向きの関係がそろっていれば、つまり逆フォーマーの場合には通常形態、正フォーマーの場合には通常形態とは上下が逆向きになった図３のような形態であれば、本発明における折りについては全てが可能となる。
　【００１３】
　図２において、走行するウエブＷの半分の幅の折り込み紙面を形成するには、走行するウエブＷのａ点を折り込みながらｇ点に持ってゆく必要がある。そのため、ウエブ幅の１／２のｂ点からｆ点へ、ｃ点からｇ点に走行する部分の長さが、ａｇの長さと同じになるようにする（ａｇ＝ｂｄ＋ｄｆ＝ｃｅ＋ｅｇ）。そのためにｄｅ間に折り目を設け、図３に示すように、この部分にセンターローラー６を配置する。
　【００１４】
　また、ウエブＷの端ａ点をｇ点に持ってゆく過程において、各部分においてウエブＷのたるみや破れが生じないようにするため、図３に示すように、ウエブＷの内側にインサイドターンバー７ａ，７ｂ、ウエブＷの外側にアウトサイドターンバー８ａ，８ｂを配置することになる。
　【００１５】
　図４は本発明に使用する紙面折り畳み装置の正面図、図５は同平面図、図６はターンバーとセンターローラー部分の拡大平面図である。
　【００１６】
　図４〜図６において、本発明の紙面折り畳み装置４のウエブ入口には走行するウエブＷを案内するインレットローラー９がウエブＷの走行方向に直角に配置される。
　【００１７】
　インレットローラー９に近接して一対のインサイドターンバー７ａ，７ｂがウエブＷの内側に位置するように両側に配置される。各インサイドターンバー７ａ，７ｂの上部はそれぞれウエブＷの両縁に位置し、インサイドターンバー７ａ，７ｂの下端は、それぞれウエブＷの折り込み紙面の折り目、本実施例では、ウエブＷの幅の１／４に位置するように傾斜して配置される。
　【００１８】
　各インサイドターンバー７ａ，７ｂの下部の間には、ウエブＷを内側に折り込むため、センターローラー６がウエブＷの走行方向に直角に配置され、センターローラー６の幅はウエブの幅の約１／２である。センターローラー６はウエブＷを押圧するために昇降可能に設けられる。センターローラー６は、インサイドターンバー７ａ，７ｂと後述するアウトサイドターンバー８ａ，８ｂとの境界に位置し、ウエブＷの方向を変更するとともに、ウエブＷの何れの部分も同じ長さのコースとなるように設置され、微細な位置調整ができるようにする。
　【００１９】
　センターローラー６の両端から一対のアウトサイドターンバー８ａ，８ｂの先端がウエブＷの幅の二つ折り線に向かって傾斜して配置され、アウトサイドターンバー８ａ，８ｂの先端でウエブＷが完全に折り込まれるようにする。
　【００２０】
　図６に示すように、アウトサイドターンバー８ａ，８ｂのセンターローラー６側は、平面視でインサイドターンバー７ａ，７ｂの外側に重なって位置するように配置する。
　【００２１】
　また、図６に示すように、センターローラー６の両端には、既存のフォーマー板の先端のノーズと同じ作用を持つ、３次元のカーブを有するノーズ１０が設けられる。センターローラー６内には、支持アーム１１に固定された軸１２が配置され、センターローラー６は軸１２に回転自在に枢着されている。ノーズ１０は、センターローラー６の両端から間隔をおいて軸１２に、位置を微調整した後、固定される。
　【００２２】
　アウトサイドターンバー８ａ，８ｂの端部にはアウトレットローラー１３が間隔をおいてウエブＷの走行方向に直角に配置されている。さらに、紙面折り畳み装置の下流側には、通常の折り機に設置された三角板が配置される。
　【００２３】
　なお、インサイドターンバー７ａ，７ｂ、アウトサイドターンバー８ａ，８ｂは、何れもウエブＷが滑り接触するので、摩擦抵抗を軽減する目的で、ターンバー内部より多数の小孔を通じて、圧縮空気を吹き出してウエブＷとの間にエアーフィルムを作るエアークッション付きとすることが好ましい。
　【００２４】
　次に、紙面折り畳み装置の動作について説明する。
　【００２５】
　図３において、走行するウエブＷは、両縁がインレットローラー９とインサイドターンバー７ａ，７ｂとの隙間を通過し、さらにアウトサイドターンバー８ａ，８ｂの内側を通過しながらウエブＷの外側１／４が内側に折り込まれ、アウトサイドターンバー８ａ，８ｂの先端の隙間を抜けると、ウエブＷの両側で内側に折り込み紙面が形成される。
　【００２６】
　折り込み紙面が形成されたウエブＷは、他のコースを通ってきたウエブＷと重ね合わせられ、紙面折り畳装置の下流側に配置されたフォーマーにより紙面の中央を縦に二つ折りにして、裁断された後排紙装置により排出する。
　【００２７】
　図７及び図８は、本発明の新聞紙製造装置によるウエブＷの折り込みの過程、折り込み後の断面図及びフォーマーの配置を示す図で、図７（ａ）は、紙面折り畳み装置で両ページを内側に折り込み紙面を形成した後、フォーマー１４で二つ折りしたものである。図７（ｂ）及び（ｃ）はウエブＷの片側のページの何れか一方を折り込んだ後、フォーマー１４で二つ折りしたものである。
　【００２８】
　図８は、紙面折り畳み装置でウエブＷを折り込んだ後、フォーマー１４で二つ折りしたものである。
　【００２９】
　【００３０】
　【発明の効果】
　本発明による
新聞紙製造装置により印刷された
　【００３１】
　本発明の新聞紙製造装置は、印刷部と折り部との間のウエブパス部に紙面折り畳み装置を配置するので、従来の新聞紙製造装置を大幅に変更することなく設置することができる。
　【００３２】
【図面の簡単な説明】
　【図１】
　本発明の紙面折り畳み装置を組み込んだ新聞紙製造装置を示す全体図である。
　【図２】
　本発明においてページを折り込む過程を示す説明図である。
　【図３】
　本発明において紙面の両ページに折り込みを形成する紙面折り畳み装置の一実施例の斜視図である。
　【図４】
　本発明に使用する紙面折り畳み装置の正面図である。
　【図５】
　本発明に使用する紙面折り畳み装置の平面図である。
　【図６】
　本発明に使用する紙面折り畳み装置ターンバーとセンターローラー部分の拡大平面図である。
　【図７】
　本発明の印刷物製造装置によるウエブの折り込みの例を示す図である。
　【図８】
　本発明の印刷物製造装置によるウエブの折り込みの例を示す図である。
　【図９】
　折り込み紙面の例を示す斜視図である。
　【符号の説明】
　　１：印刷部
　　２：ウエブパス部
　　３：折り部
　　４：紙面折り畳み装置
　　５：ターンバー
　　６：センターローラー
　　７ａ，７ｂ：インサイドターンバー
　　８ａ，８ｂ：アウトサイドターンバー
　　９：インレットローラー
　１０：ノーズ
　１１：支持アーム
　１２：軸
　１３：アウトレットローラー
　１４：フォーマー
　　Ｗ：ウエブ